(57)【要約】【課題】車椅子の折り畳みや車椅子への乗降に支障がなく、常時車椅子に取付けておくことができ、障害者は、車椅子から立ち上がらず、座ったまま装着することができるコンパクトで軽い車椅子用簡易雨具を提供する。【解決手段】略矩形状の上面布地２と、上面布地２の後端辺に前端辺が接続された略矩形状の下面布地３とを備え、上面布地２は、左右側辺に沿って夫々延びる左方ファスナー８及び右方ファスナー９と、上面布地２の左右両前端部から延出する上面紐１１とを備え、下面布地３は、夫々左右側辺に沿って延び、左方ファスナー８及び右方ファスナー９に夫々嵌合する左方ファスナー１２及び右方ファスナー１３と、下面布地３の前後方向中間部の左右両側辺から夫々２本ずつ延出する左右中間紐１４，１４…と、下面布地３の左右両後端部から延出する下面紐１６とを備えた車椅子用簡易雨具１を提供する。【選択図】図１
2008272339.tif 000002
【特許請求の範囲】
【請求項１】
略矩形状の上面布地と、前記上面布地の後端辺に前端辺が接続された略矩形状の下面布地とを備え、
前記上面布地は、左右側辺に沿って夫々延びる左方ファスナー及び右方ファスナーと、
前記上面布地の左右両前端部から延出する上面紐とを備え、
前記下面布地は、夫々左右側辺に沿って延び、前記左方ファスナー及び右方ファスナーに夫々嵌合する左方ファスナー及び右方ファスナーと、
前記下面布地の前後方向中間部の左右両側辺から夫々２本ずつ延出する左右中間紐と、
前記下面布地の左右両後端部から延出する下面紐とを備え、
前記上面布地の左方ファスナーと、前記下面布地の左方ファスナーとを嵌合させ、前記上面布地の右方ファスナーと、前記下面布地の右方ファスナーとを嵌合させ、前記上面布地の上面紐の左延出部と前記下面布地の下面紐の左延出部とを互いに結束し、前記上面布地の上面紐の右延出部と前記下面布地の下面紐の右延出部とを互いに結束すると、車椅子利用者の下半身を包む袋体状の下半身カバーが形成され、
前記左右中間紐を車椅子のフレームに結着すると、前記下面布地が車椅子に取り付けられるように構成されたことを特徴とする車椅子用簡易雨具。
【請求項２】
前記下面布地上面の前端辺近傍に、車椅子利用者の足部を載置させる補強用布地で形成された足置部が設けられることを特徴とする請求項１記載の車椅子用簡易雨具。
【請求項３】
前記下面布地背面の前後方向略中央部に、前記上面布地及び前記下面布地の足置部を含む前端辺部を収納する収納袋が設けられ、前記収納袋は、開口部の左右端が切欠されて前記開口部が上下に開くように形成され、前記開口部の内側上部が折り曲げられて、前記下面布地の背面に前記下面布地の短手方向に平行に固着され、前記開口部の内側下部に面ファスナーが開口に沿って設けられ、一方、前記下面布地の上面には、前記面ファスナーと接合させる他方の面ファスナーが前記下面布地の短手方向に平行に設けられ、更に、前記収納袋は、前記収納袋左右両下端部から夫々延出し、車椅子のフレームに結着自在の左右袋用紐を備えていることを特徴とする請求項２記載の車椅子用簡易雨具。
【請求項４】
前記上面布地の背面の前端辺近傍に前記前端辺に沿って延びる面ファスナーが設けられ、前記下面布地の背面の後端辺近傍に前記後端辺に沿って延びる面ファスナーが設けられていることを特徴とする請求項１乃至３のうちいずれか一に記載の車椅子用簡易雨具。
【請求項５】
後ろ身頃と、
前記後ろ身頃の左右側辺に一側辺が接続される左右前身頃と、
前記後ろ身頃と左右前身頃の上部接続部に夫々一端が接続される筒状の左右袖部と、
前記後ろ身頃と左右前身頃の上端に接続されるフードとを備え、
前記後ろ身頃の下端辺近傍に前記下端辺に沿って延びる面ファスナーが設けられ、
前記左右前身頃の前記後ろ身頃と接続されない他側辺に夫々左右ファスナーが設けられ、
前記左右前身頃の下端辺近傍に夫々前記下端辺に沿って延びる左右面ファスナーが設けられ、
前記左右ファスナーを相互に嵌合させると、車椅子利用者の上半身を包む上半身カバーが形成されるように構成されていることを特徴とする車椅子用簡易雨具。
【請求項６】
請求項３又は４に記載の車椅子用簡易雨具の使用方法であって、前記上面布地と前記下面布地の足置部を含む前端辺部を折り畳み、前記収納袋内に収納し、車椅子における座部前端下方に前記収納袋が位置するように前記左右袋用紐を夫々車椅子のフレームに結束固定し、前記下面布地の後方部を前記座部上に展開し、前記下面布地の後端部分は丸めて前記座部の後方隅に押し込み、前記左右中間紐を夫々車椅子のフレームに結束固定することを特徴とする車椅子用簡易雨具の使用方法。
【請求項７】
請求項３又は４に記載の車椅子用簡易雨具と、請求項５記載の車椅子用簡易雨具とを用いた車椅子用簡易雨具の使用方法であって、請求項３又は４に記載の車椅子用簡易雨具を請求項６記載の車椅子用簡易雨具の使用方法により取り付け、車椅子利用者が前記車椅子に座った状態で、丸めていた前記下面布地の後端部分を、前記車椅子の背に沿って上方に展開し、前記収納袋から前記上面布地と下面布地の足置部を含む前端辺部を引き出し、車椅子の前面の踏み板方向に展開し、次に、車椅子利用者の足を前記足置部に置いた後、前記左方ファスナーと右方ファスナーのスライドを上昇させ、前記上面布地と前記下面布地によって車椅子利用者の下半身を包み、車椅子利用者の脇下で上面紐の左右延出部と下面紐の左右延出部とを夫々結束し、更に、請求項５記載の車椅子用簡易雨具を車椅子利用者の上半身に装着し、前記左右ファスナーを相互に嵌合させ、前記下面布地の背面の面ファスナーと、前記後ろ身頃の面ファスナーとを接合させ、前記上面布地の背面の面ファスナーと、前記左右前身頃の左右面ファスナーとを接合させ、前記フードを車椅子利用者の頭部に被せることを特徴とする車椅子用簡易雨具の使用方法。
【発明の詳細な説明】
【技術分野】
【０００１】
本発明は、常時車椅子に取付けておくことができ、車椅子の折り畳みや車椅子利用者の車椅子への乗降に支障がなく、車椅子利用者が車椅子に座ったまま装着することができる車椅子用簡易雨具及びその使用方法に関する。
【背景技術】
【０００２】
此種従来の車椅子用雨具として、例えば、車椅子利用者が雨に濡れないように車椅子利用者の上方を覆う雨具、上方及び側方を覆う雨具、又は、全身を覆う雨具等が知られている。
然しながら、従来の車椅子用雨具は、例えば、次のような問題点がある。
（１）車椅子使用中に、車椅子利用者が座ったままで使用することが困難である。
（２）雨具が車椅子に取付けられていない場合が多く、突然の気候変動に迅速に対応できないことがある。
そこで、それらを解決するために、例えば、次のような先行文献がある。
特許文献１は、前身頃が、着用者の両足元を包み込むことができるようになっており、脇部分で後身頃に接合され、前身頃の裾と後身頃の裾とで開口部を形成し、開口部の周囲には弾性素材を挿入もしくは縫い付けてある車椅子用雨衣が記載されている。
特許文献１は、車椅子使用中に、障害者が座ったままで使用することが可能である。
【０００３】
又、特許文献２は、車椅子に前側フレームが回動自在に取り付けられ、前側フレームを回動させつつ蛇腹を展開させると、車椅子の着座者は、上半身の両側及び上方が透明の蛇腹で包囲される車椅子の雨除けカバーが記載されている。
特許文献２は、車椅子使用中に、障害者が座ったままで使用することが可能であり、車椅子に取付けられているので、突然の気候変動に迅速に対応できるものである。
【特許文献１】特開２００１−４０５１号公報
【特許文献２】特開２００３−２３０６０３号公報
【発明の開示】
【発明が解決しようとする課題】
【０００４】
前記特許文献１は、着用者の略全身を包むことができるものであるが、常時車椅子に取り付けておくものではないため、車椅子に備え付けておかなかった場合は、突然の気候変動時に対応できない虞がある。
又、特許文献２は、車椅子の着座者の上半身の両側及び上方が透明の蛇腹で包囲されるが、下半身が濡れてしまう虞がある。
【０００５】
以上の現状に鑑み、本発明の目的は、常時車椅子に取付けておくことができ、車椅子の折り畳みや車椅子利用者の車椅子への乗降に支障がなく、車椅子利用者が車椅子に座ったまま装着することができる車椅子用簡易雨具及びその使用方法を提供する。
【課題を解決するための手段】
【０００６】
上記の課題を解決すべく、本発明は以下の構成を提供する。
請求項１に係る発明は、略矩形状の上面布地と、前記上面布地の後端辺に前端辺が接続された略矩形状の下面布地とを備え、
前記上面布地は、左右側辺に沿って夫々延びる左方ファスナー及び右方ファスナーと、
前記上面布地の左右両前端部から延出する上面紐とを備え、
前記下面布地は、夫々左右側辺に沿って延び、前記左方ファスナー及び右方ファスナーに夫々嵌合する左方ファスナー及び右方ファスナーと、
前記下面布地の前後方向中間部の左右両側辺から夫々２本ずつ延出する左右中間紐と、
前記下面布地の左右両後端部から延出する下面紐とを備え、
前記上面布地の左方ファスナーと、前記下面布地の左方ファスナーとを嵌合させ、前記上面布地の右方ファスナーと、前記下面布地の右方ファスナーとを嵌合させ、前記上面布地の上面紐の左延出部と前記下面布地の下面紐の左延出部とを互いに結束し、前記上面布地の上面紐の右延出部と前記下面布地の下面紐の右延出部とを互いに結束すると、車椅子利用者の下半身を包む袋体状の下半身カバーが形成され、
前記左右中間紐を車椅子のフレームに結着すると、前記下面布地が車椅子に取り付けられるように構成されたことを特徴とする車椅子用簡易雨具を提供するものである。
【０００７】
請求項２に係る発明は、前記下面布地上面の前端辺近傍に、車椅子利用者の足部を載置させる補強用布地で形成された足置部が設けられることを特徴とする請求項１記載の車椅子用簡易雨具を提供するものである。
【０００８】
請求項３に係る発明は、前記下面布地背面の前後方向略中央部に、前記上面布地及び前記下面布地の足置部を含む前端辺部を収納する収納袋が設けられ、前記収納袋は、開口部の左右端が切欠されて前記開口部が上下に開くように形成され、前記開口部の内側上部が折り曲げられて、前記下面布地の背面に前記下面布地の短手方向に平行に固着され、前記開口部の内側下部に面ファスナーが開口に沿って設けられ、一方、前記下面布地の上面には、前記面ファスナーと接合させる他方の面ファスナーが前記下面布地の短手方向に平行に設けられ、更に、前記収納袋は、前記収納袋左右両下端部から夫々延出し、車椅子のフレームに結着自在の左右袋用紐を備えていることを特徴とする請求項２記載の車椅子用簡易雨具を提供するものである。
【０００９】
請求項４に係る発明は、前記上面布地の背面の前端辺近傍に前記前端辺に沿って延びる面ファスナーが設けられ、前記下面布地の背面の後端辺近傍に前記後端辺に沿って延びる面ファスナーが設けられていることを特徴とする請求項１乃至３のうちいずれか一に記載の車椅子用簡易雨具を提供するものである。
【００１０】
請求項５に係る発明は、後ろ身頃と、
前記後ろ身頃の左右側辺に一側辺が接続される左右前身頃と、
前記後ろ身頃と左右前身頃の上部接続部に夫々一端が接続される筒状の左右袖部と、
前記後ろ身頃と左右前身頃の上端に接続されるフードとを備え、
前記後ろ身頃の下端辺近傍に前記下端辺に沿って延びる面ファスナーが設けられ、
前記左右前身頃の前記後ろ身頃と接続されない他側辺に夫々左右ファスナーが設けられ、
前記左右前身頃の下端辺近傍に夫々前記下端辺に沿って延びる左右面ファスナーが設けられ、
前記左右ファスナーを相互に嵌合させると、車椅子利用者の上半身を包む上半身カバーが形成されるように構成されていることを特徴とする車椅子用簡易雨具を提供するものである。
【００１１】
請求項６に係る発明は、請求項３又は４に記載の車椅子用簡易雨具の使用方法であって、前記上面布地と前記下面布地の足置部を含む前端辺部を折り畳み、前記収納袋内に収納し、車椅子における座部前端下方に前記収納袋が位置するように前記左右袋用紐を夫々車椅子のフレームに結束固定し、前記下面布地の後方部を前記座部上に展開し、前記下面布地の後端部分は丸めて前記座部の後方隅に押し込み、前記左右中間紐を夫々車椅子のフレームに結束固定することを特徴とする車椅子用簡易雨具の使用方法を提供するものである。
【００１２】
請求項７に係る発明は、請求項３又は４に記載の車椅子用簡易雨具と、請求項５記載の車椅子用簡易雨具とを用いた車椅子用簡易雨具の使用方法であって、請求項３又は４に記載の車椅子用簡易雨具を請求項６記載の車椅子用簡易雨具の使用方法により取り付け、車椅子利用者が前記車椅子に座った状態で、丸めていた前記下面布地の後端部分を、前記車椅子の背に沿って上方に展開し、前記収納袋から前記上面布地と下面布地の足置部を含む前端辺部を引き出し、車椅子の前面の踏み板方向に展開し、次に、車椅子利用者の足を前記足置部に置いた後、前記左方ファスナーと右方ファスナーのスライドを上昇させ、前記上面布地と前記下面布地によって車椅子利用者の下半身を包み、車椅子利用者の脇下で上面紐の左右延出部と下面紐の左右延出部とを夫々結束し、更に、請求項５記載の車椅子用簡易雨具を車椅子利用者の上半身に装着し、前記左右ファスナーを相互に嵌合させ、前記下面布地の背面の面ファスナーと、前記後ろ身頃の面ファスナーとを接合させ、前記上面布地の背面の面ファスナーと、前記左右前身頃の左右面ファスナーとを接合させ、前記フードを車椅子利用者の頭部に被せることを特徴とする車椅子用簡易雨具の使用方法を提供するものである。
【発明の効果】
【００１３】
本発明の請求項１記載の発明によれば、常時車椅子に取付けておくことができ、車椅子の折り畳みや車椅子利用者の車椅子への乗降に支障がなく、車椅子利用者が車椅子に座ったまま装着することができるコンパクトで軽い車椅子用簡易雨具を提供することができる。
本車椅子用簡易雨具は、常時車椅子に取付けておくことができるので、突然の雨風雪等気候変動に迅速に対応できる。
又、手を動かせる障害者は、介護者の援助がなくとも本車椅子用簡易雨具の利用が可能である。
【００１４】
請求項２記載の発明によれば、請求項１記載の発明の効果に加え、補強用布地で形成された足置部が設けられるので、車椅子利用者が足を安定した状態に置くことができると共に、車椅子用簡易雨具の耐久性を向上できる。
【００１５】
請求項３記載の発明によれば、請求項２記載の発明の効果に加え、車椅子に取付けておく時、上面布地及び下面布地の足置部を含む前端辺部を収納することができると共に、左右袋用紐で車椅子のフレームに結着して、収納袋を固定することができる。
これによって、車椅子に取り付けた車椅子用簡易雨具が車椅子利用者の障害になることもなく、又、車椅子利用者は収納部分を収納袋から容易に取り出すことができる。
【００１６】
請求項４記載の発明によれば、請求項１乃至３のうちいずれか一に記載の発明の効果に加え、面ファスナーによって、下半身カバーとなる車椅子用簡易雨具に、上半身カバーとなる車椅子用簡易雨具を容易に取り付けることができ、且つ、取外しも容易である。
【００１７】
請求項５記載の発明によれば、車椅子利用者の頭部及び上半身を覆う上半身カバーとなる車椅子用簡易雨具を提供することができると共に、上半身カバーとなる車椅子用簡易雨具は、下半身カバーとなる車椅子用簡易雨具に容易に取り付けることができる。又、下半身カバーとなる車椅子用簡易雨具と上半身カバーとなる車椅子用簡易雨具を別々に形成することにより、下半身カバーを常時車椅子に取り付けておくことができ、かつ、上半身カバーを車椅子の背中のポケットに収納する等して、上半身カバーも常時車椅子に備えておくことができる。
【００１８】
請求項６記載の発明によれば、車椅子利用者の下半身を覆う下半身カバーとなる車椅子用簡易雨具を車椅子利用者の利用の障害にならないように常時車椅子に取り付けておくことができる。
【００１９】
請求項７記載の発明によれば、雨や雪が降った時に於いて、車椅子利用者の下半身を覆う下半身カバーとなる車椅子用簡易雨具を展開し、下半身カバーとなる車椅子用簡易雨具に上半身カバーとなる車椅子用簡易雨具を取り付けて、車椅子利用者の下半身、上半身及び頭部を覆う車椅子用簡易雨具として迅速に利用できる。又、手を動かせる障害者は、介護者の援助がなくとも本車椅子用簡易雨具の使用方法を実行可能である。
【発明を実施するための最良の形態】
【００２０】
以下、実施例を示した図面を参照しつつ本発明の実施の形態を説明する。
図１に於いて、１は本発明の第１実施例の車椅子用簡易雨具であり、車椅子用簡易雨具１は、車椅子利用者の下半身を覆う下半身カバーとなるものであり、撥水性あるいは撥水性と断熱性を有する布地を用いて形成され、略矩形状の上面布地２と、上面布地２の後端辺に前端辺が接続された略矩形状の下面布地３とを備えている。
【００２１】
前記上面布地２は、平面視前後方向に細長い方形に形成されているが、図２（ａ）に示すように、長手方向の長さＬ１は起立状態の車椅子利用者（車椅子用簡易雨具着用者）４におけるつま先５と脇６間の長さに相当し、短手方向の長さＬ２は起立状態の車椅子利用者４における両脇６，６下間の長さＬ３より少し長く形成されている。
【００２２】
又、下面布地３は、平面視前後方向に細長い方形に構成されているが、図２（ｂ）に示すように、長手方向の長さは起立状態の車椅子利用者４における踵の後端７と脇６との間の長さＬ４に足裏部の長さＬ５を加えた長さに形成され、下面布地３の下端に位置する短手方向の長さＬ６は、上面布地２の短手方向の長さＬ２と同一長さに形成され、上端に位置する短手方向の長さＬ７は、上面布地２の短手方向の長さＬ２より少し長く形成されている。但し、下面布地３の下端の両端は、少し、切欠されている。
【００２３】
そして、図１に示す如く、上面布地２は、左右側辺に沿って夫々延びる左方ファスナー８及び右方ファスナー９と、上面布地２の前端辺に沿って形成された筒状袋１０を貫通し、筒状袋１０の両端から延出する上面紐１１とを備え、下面布地３は、夫々左右側辺に沿って延び、前記左方ファスナー８及び右方ファスナー９に夫々嵌合する左方ファスナー１２及び右方ファスナー１３と、下面布地３背面の前後方向中間部の左右両側辺から夫々２本ずつ延出する左右中間紐１４，１４…と、下面布地３後端辺に沿って形成された筒状袋１５を貫通し、筒状袋１５の両端から延出する下面紐１６とを備えている。尚、前記筒状袋１０を形成せず、上面紐１１を上面布地２の左右両前端部から夫々延出させても良く、同様に、前記筒状袋１５を形成せず、下面紐１６を下面布地３の左右両下端部から夫々延出させても良く、然るときも同様の効果が期待できる。
図３は図１の車椅子用簡易雨具１のＡ−Ａ線断面図を示し、図４は図１の車椅子用簡易雨具１のＢ−Ｂ線断面図を示している。
【００２４】
そして、図１に示す上面布地２の左方ファスナー８と、下面布地３の左方ファスナー１２とをスライド１７をスライドさせて嵌合させ、上面布地２の右方ファスナー９と、下面布地３の右方ファスナー１３とをスライド１８をスライドさせて嵌合させ、上面布地２の上面紐１１の左延出部１１ａと下面布地３の下面紐１６の左延出部１６ａとを互いに結束し、上面布地２の上面紐１１の右延出部１１ｂと下面布地３の下面紐１６の右延出部１６ｂとを互いに結束すると、車椅子利用者４の下半身を包む袋体状の下半身カバーが形成され、下面布地３背面の前後方向中間部の左右両側辺から夫々２本ずつ延出する左右中間紐１４，１４…を車椅子（図１０に於いて６１）のフレーム（図１０に於いて６４）に結着すると、下面布地３が車椅子に取り付けられるように構成されている。
又、前記下面布地３上面の前端辺近傍には、車椅子利用者４の足部を載置させる補強用布地で形成された足置部１９が設けられている。
【００２５】
更に、下面布地３背面の前後方向略中央部に、上面布地２及び下面布地３の足置部１９を含む前端辺部を収納する収納袋２０が、開口部２０ａの一部を固着されて設けられている。
収納袋２０は、図５に示すように、開口部２０ａの左右端が切欠されて開口部２０ａが上下に開くように形成され、開口部２０ａの内側上部が折り曲げられて、下面布地３の背面に下面布地３の短手方向に平行に固着されて固着部２０ｂが形成され、開口部２０ａの内側下部に面ファスナー２１が開口に沿って設けられ、一方、下面布地３の上面には、面ファスナー２１と接合させる他方の面ファスナー２２が下面布地３の短手方向に平行に設けられている。
同図に示す２点鎖線は、上面布地２等を折り畳み、収納袋２０内に収納した場合の状態を示し、この場合、面ファスナー２１と面ファスナー２２とが接合される。
【００２６】
尚、収納袋２０は布で構成され、下面布地３の背面の短手方向と平行に固着されているので、必要に応じて、固着部２０ｂを中心として、収納袋２０を図１に示す如く、固着部２０ｂの後方に位置させたり、図６に示す如く固着部２０ｂの前方に位置させることができる。
【００２７】
更に、収納袋２０は、図１に示す如く、収納袋２０の左右両下端部から夫々２本延出し、車椅子のフレームに結着自在の左右袋用紐２３，２３…を備えている。
【００２８】
更に又、図７に示す如く、上面布地２の背面の前端辺近傍に、前端辺に沿って延びる面ファスナー２４が設けられ、下面布地３の背面の後端辺近傍に、後端辺に沿って延びる面ファスナー２５が設けられている。尚、前記面ファスナー２１，２２，２４，２５は、所謂マジックテープ（登録商標）である。
尚、面ファスナー２１，２２は、図８に示す如く、ファスナー（所謂チャック）２６，２７に代えることも可能である。この場合、収納袋２０の収納状態に於いて、ファスナー２６，２７を嵌合させる。
【００２９】
図９に於いて、３１は本発明の第２実施例の車椅子用簡易雨具であり、車椅子用簡易雨具３１は、車椅子利用者４の上半身を覆う上半身カバーを形成するものであり、撥水性あるいは撥水性と断熱性を有する布地を用いて形成され、後ろ身頃３２と、後ろ身頃３２の左右側辺に一側辺が接続される左右前身頃３３，３４と、後ろ身頃３２と左右前身頃３３，３４の上部接続部に夫々一端が接続される筒状の左右袖部３５，３６と、後ろ身頃３２と左右前身頃３３，３４の上端に接続されるフード３７とを備えている。
【００３０】
そして、前記後ろ身頃３２の下端辺近傍に下端辺に沿って延びる面ファスナー３８が設けられ、左右前身頃３３，３４の後ろ身頃３２と接続されない他側辺に夫々左右ファスナー３９，４０が設けられ、左右前身頃３３，３４の下端辺近傍に夫々下端辺に沿って延びる左右面ファスナー４１，４２が設けられ、前記左右ファスナー３９，４０を相互に嵌合させると、車椅子利用者４の上半身を包む上半身カバーが形成されるように構成されている。尚、前記面ファスナー３８，４１，４２は、所謂マジックテープ（登録商標）である。
【００３１】
次に、前記第１実施例の車椅子用簡易雨具１の使用方法として、車椅子用簡易雨具１を車椅子６１に取り付ける方法を説明する。
車椅子用簡易雨具１は、図１０に示す如く、車椅子利用者４の邪魔にならないように、一部収納された状態で車椅子６１に常時取り付けられ、雨や雪が降らない時は、その状態のまま保持される。
【００３２】
その取り付け方法を説明すると、図１に示す上面布地２と下面布地３の足置部１９を含む前端辺部を折り畳み、図１１に示す如く、収納袋２０内に収納し、図１０に示す車椅子６１における座部６２前端下方に収納袋２０が位置するように左右袋用紐２３，２３…を夫々車椅子６１の左右の前部フレーム６３，６３に結束固定し、下面布地３の後方部を車椅子６１における座部６２上に展開し、下面布地３の後端部分は丸めて車椅子６１における座部６２の後方隅に押し込み、左右中間紐１４，１４…を夫々車椅子６１の左右の後部フレーム６４,６４に結束固定する。
【００３３】
次に、前記第１実施例の車椅子用簡易雨具１及び前記第２実施例の車椅子用簡易雨具３１の使用方法として、車椅子６１の車椅子利用者４が車椅子用簡易雨具１及び車椅子用簡易雨具３１を装着する方法を説明する。
車椅子用簡易雨具１は、前図１０に示す如く、常時車椅子６１に取り付けられ、車椅子用簡易雨具３１は、車椅子６１の背中のポケット（図示せず）に常時収納される。
【００３４】
前記車椅子用簡易雨具１が図１０に示す如く、車椅子６１に取り付けられ、車椅子利用者４が車椅子６１に座った状態で、雨や雪が降った場合、図１２に示すように、座部６２の後方隅に丸めていた下面布地３の後端部分を車椅子６１の背に沿って上方に展開し、収納袋２０から、上面布地２と下面布地３の足置部１９を含む前端辺部を引き出し、車椅子６１の前面の踏み板６５方向に展開し、車椅子利用者４の足６６を足置部１９に置いた後、左方ファスナー８，１２と右方ファスナー９，１３のスライド１７，１８を上昇させ、図１３に示す如く、上面布地２と下面布地３によって車椅子利用者４の下半身を包み、車椅子利用者４の脇下で上面紐１１の左延出部１１ａと下面紐１６の左延出部１６ａとを互いに結束し、上面紐１１の右延出部１１ｂと下面紐１６の右延出部１６ｂとを互いに結束し、更に、図１４に示す如く、前記車椅子用簡易雨具３１の左右袖部３５，３６に車椅子利用者４の腕を通して車椅子用簡易雨具３１を車椅子利用者４の上半身に装着し、左右ファスナー３９，４０を相互に嵌合させ、下面布地３の背面の面ファスナー２５と、後ろ身頃３２の面ファスナー３８とを接合させ、上面布地２の背面の面ファスナー２４と、左右前身頃３３，３４の左右面ファスナー３９，４０とを接合させ、フード３７を車椅子利用者４の頭４ａに被せる。
【図面の簡単な説明】
【００３５】
【図１】本発明による第１実施例の車椅子用簡易雨具の平面図である。
【図２】（ａ）本発明による上面布地の寸法を示す説明図である。（ｂ）本発明による下面布地の寸法を示す説明図である。
【図３】図１に示す第１実施例の車椅子用簡易雨具のＡ−Ａ線断面図である。
【図４】図１に示す第１実施例の車椅子用簡易雨具のＢ−Ｂ線断面図である。
【図５】本発明の収納袋の取り付け状態を説明する拡大図である。
【図６】収納袋の位置を変化させた場合を示す本発明による第１実施例の車椅子用簡易雨具の平面図である。
【図７】本発明による第１実施例の車椅子用簡易雨具の背面図である。
【図８】本発明の他の実施例の収納袋の取り付け状態を説明する拡大図である。
【図９】本発明による第２実施例の車椅子用簡易雨具の平面図である。
【図１０】本発明による第１実施例の車椅子用簡易雨具を車椅子に取り付けた状態を示す正面図である。
【図１１】本発明による第１実施例の車椅子用簡易雨具の上面布地及び下面布地の足置部を含む前端辺部を収納袋に収納した状態を示す斜視図である。
【図１２】本発明による第１実施例の車椅子用簡易雨具を車椅子利用者に装着する状態を示す正面図である。
【図１３】本発明による第１実施例の車椅子用簡易雨具を車椅子利用者に装着した状態を示す正面図である。
【図１４】本発明による第１実施例の車椅子用簡易雨具及び第２実施例の車椅子用簡易雨具を車椅子利用者に装着した状態を示す正面図である。
【符号の説明】
【００３６】
１，３１  車椅子用簡易雨具
２  上面布地
３  下面布地
４  車椅子利用者
４ａ  頭部
８，１２  左方ファスナー
９，１３  右方ファスナー
１１  上面紐
１１ａ，１６ａ  左延出部
１１ｂ，１６ｂ  右延出部
１４  左右中間紐
１６  下面紐
１９  足置部
２０  収納袋
２０ａ  開口部
２１，２２，２４，２５，３８  面ファスナー
２３  左右袋用紐
３２  後ろ身頃
３３  左前身頃
３４  右前身頃
３５  左袖部
３６  右袖部
３７  フード
３９  左ファスナー
４０  右ファスナー
４１  左面ファスナー
４２  右面ファスナー
６１  車椅子
６２  座部
６５  踏み板
６６  足
【図１】
2008272339.tif 000003
【図２】
2008272339.tif 000004
【図３】
2008272339.tif 000005
【図４】
2008272339.tif 000006
【図５】
2008272339.tif 000007
【図６】
2008272339.tif 000008
【図７】
2008272339.tif 000009
【図８】
2008272339.tif 000010
【図９】
2008272339.tif 000011
【図１０】
2008272339.tif 000012
【図１１】
2008272339.tif 000013
【図１２】
2008272339.tif 000014
【図１３】
2008272339.tif 000015
【図１４】
2008272339.tif 000016